(57)【特許請求の範囲】
【請求項１】
ハンドルの先端部側に該ハンドルの軸方向に向けて形成した挿着孔部に、両端部にそれぞれねじ係合部を形成したドライバービットを反転抜き差し可能且つ回転不能に設けるとともに、ハンドルの先端部と基端部にそれぞれ大きさの異なるボルト又はナットを回転させるための第１ソケット部と第２ソケット部を形成し、更にハンドルの中央部に該ハンドルの軸方向と直交する方向に前記ドライバービットを回転不能に抜き差し可能な貫通孔部を設けてなり、更に前記ドライバービットの外周に沿って軸方向に移動可能且つドライバービットから抜き出し可能であるが回転不能なソケット本体をドライバービットに外嵌し、ソケット本体の両端部には内寸の互いに異なった第３ソケット部と第４ソケット部を形成するとともに、該第３ソケット部と第４ソケット部の外形を前記第１ソケット部と第２ソケット部の何れか一方に回転不能に内嵌する形状となしたことを特徴とする手動回転工具。
【請求項２】
前記ドライバービットの外周に形成した係合用凹部に弾性係合可能な第１係合手段と第２係合手段を、前記挿着孔部内と前記貫通孔部内に、それぞれ突出可能に設けてなる請求項１記載の手動回転工具。
【請求項３】
前記ハンドルの基端部側第２ソケット部でナットを回転する際に、ボルト軸部を逃がし得る退避孔部を、該第２ソケット部内から該ハンドルの中央部に連続して形成してなる請求項１又は２記載の手動回転工具。
【請求項４】
前記ソケット本体に、前記ドライバービットの外周に形成した係合用凹部に係脱可能な第３係合手段を設けて、各第３ソケット部と第４ソケット部が使用可能な位置でソケット本体をドライバービットに保持するようにしてなる請求項１記載の手動回転工具。
【発明の詳細な説明】
【０００１】
【発明の属する技術分野】
本発明は、ドライバーとソケットレンチを組み合わせた手動回転工具に係わり、更に詳しくは又は六角ボルトあるいは六角ナットの締付け及び緩め作業に用いる手動回転工具に関するものである。
【０００２】
【従来の技術】
従来、一般に使用されているドライバーには、ハンドル（握り部）にドライバービットを一体的に取付けた固定式ドライバー、あるいは共通のハンドルに数種類のドライバービットを着脱式に取付けるようにした差し替えドライバー等があるが、何れのドライバーにあっても、ねじ回しの用途以外には使用できないものであった。
【０００３】
また、ソケットレンチでは、ハンドルの一端部又は両端部に大きさの異なるボルト又はナットを回転させるためのソケット部を設けたものが一般的に提供されているが、従来のソケットレンチはボルト又はナットを回転させる用途以外には使用できないものであった。
【０００４】
前述の従来のドライバーやソケットレンチには長い歴史があり、その用途に適したように改良が加えられ、洗練された機能を有する工具として確固たる地位を確立しているものであるが、実際それを使用する現場では大きさの異なる種々のねじやボルト・ナットが存在するので、それに対応できるように複数種類のドライバーやソケットレンチを携帯していなければならず、重量的な労力と使い分けによる手間が常に付きまとうものである。
【０００５】
【発明が解決しようとする課題】
そこで、本発明が前述の状況に鑑み、解決しようとするところは、一つの工具で又は最小限数の工具で大きさの異なる種々のねじやボルト・ナットを回転させることができるとともに、大きな回転トルクをねじやボルト・ナットに与えることができる手動回転工具を提供する点にある。
【０００６】
【課題を解決するための手段】
本発明は、前述の課題解決のために、ハンドルの先端部側に該ハンドルの軸方向に向けて形成した挿着孔部に、両端部にそれぞれねじ係合部を形成したドライバービットを反転抜き差し可能且つ回転不能に設けるとともに、ハンドルの先端部と基端部にそれぞれ大きさの異なるボルト又はナットを回転させるための第１ソケット部と第２ソケット部を形成し、更にハンドルの中央部に該ハンドルの軸方向と直交する方向に前記ドライバービットを回転不能に抜き差し可能な貫通孔部を設けてなり、更に前記ドライバービットの外周に沿って軸方向に移動可能且つドライバービットから抜き出し可能であるが回転不能なソケット本体をドライバービットに外嵌し、ソケット本体の両端部には内寸の互いに異なった第３ソケット部と第４ソケット部を形成するとともに、該第３ソケット部と第４ソケット部の外形を前記第１ソケット部と第２ソケット部の何れか一方に回転不能に内嵌する形状となした手動回転工具を構成した。
【０００７】
この手動回転工具は、ドライバービットの両端部にそれぞれ形成したねじ係合部で二種類のねじを回転させることが可能であり、またハンドルの先端部と基端部にそれぞれ設けた第１ソケット部と第２ソケット部で大きさの異なるボルト又はナットを回転させることが可能である。また、ボルト又はナットを回転させる際に、ドライバービットをハンドルの挿着孔部から抜き去って、それをハンドルの貫通孔部に挿入し、ハンドルの回転軸方向と直交する方向に突出したドライバービットを持って回転させれば大きな回転トルクが得られるのである。
そして、ソケット本体を用いることにより、第３ソケット部と第４ソケット部を使用して更に大きさの異なるボルト又はナットを回転させることが可能である。実際には、ハンドルに装着したドライバービットにソケット本体を外嵌して、第３ソケット部又は第４ソケット部の一方を使用し、他方を使用する場合はソケット本体の向きを反転させてドライバービットに装着する。ここで、ソケット本体を使用しない場合には、ソケット本体をドライバービットに深く外挿するとともに、第３ソケット部又は第４ソケット部の一方を第１ソケット部に内嵌して装着する。
更に、ドライバービットをハンドルの挿着孔部から抜いて、貫通孔部に装着した後、ソケット本体の第３ソケット部又は第４ソケット部の一方を、ハンドルの第１ソケット部又は第２ソケット部の凹部内に嵌合し、他方を利用してドライバービットを持ってハンドルを回転させることにより、更に大きな回転トルクでボルトやナットを回転させることが可能である。
【０００８】
また、本発明は、前述の構成に加えて、前記ドライバービットの外周に形成した係合用凹部に弾性係合可能な第１係合手段と第２係合手段を、前記挿着孔部内と前記貫通孔部内に、それぞれ突出可能に設けてなることで、ドライバービットをハンドルの挿着孔部又は貫通孔部に簡単に抜けることなく保持するようになしたものである。
【０００９】
また、前記ハンドルの基端部側第２ソケット部でナットを回転する際に、ボルト軸部を逃がし得る退避孔部を、該第２ソケット部内から該ハンドルの中央部に連続して形成してなることで、ナットからボルト軸部が大きく突出した状態でも退避孔部内にボルト軸部を受け入れて該ナットを回転させることが可能である。
【００１０】
また、前記ソケット本体に、前記ドライバービットの外周に形成した係合用凹部に係脱可能な第３係合手段を設けて、各第３ソケット部と第４ソケット部が使用可能な位置でソケット本体をドライバービットに保持するようにしてなると、ソケット本体の各第３ソケット部と第４ソケット部でボルト又はナットを回転させる際に、該ソケット本体がドライバービットに沿って不意に移動することがなくなるので好ましい。
【００１１】
【発明の実施の形態】
次に本発明の実施の形態を添付図面に基づき更に詳細に説明する。図１〜図４は本発明を構成するドライバーを示し、図5〜図7は本発明を構成するソケット本体を示し、図8及び図9は本発明の手動回転工具の実施形態を示し、図中符号Ａはドライバー、Ｂはソケット本体、１はハンドル、２はドライバービットをそれぞれ示している。
【００１２】
本発明の手動回転工具を構成するドライバーＡは、ハンドル１の先端部Ａ１側に該ハンドル１の軸方向に向けて形成した挿着孔部３に、両端部にそれぞれねじ係合部４を形成したドライバービット２を反転抜き差し可能且つ回転不能に設けるとともに、ハンドル１の先端部Ａ１と基端部Ａ２にそれぞれ大きさの異なるボルト又はナットを回転させるための第１ソケット部５と第２ソケット部６を形成し、更にハンドル１の中央部Ａ３に該ハンドル１の軸方向と直交する方向に前記ドライバービット２を回転不能に抜き差し可能な貫通孔部７を設けてなるものである。
【００１３】
更に詳しくは、前記ハンドル１は、内部に金属芯材８を軸方向に連続して配設するとともに、先端部Ａ１と基端部Ａ２にそれぞれ硬質ゴム製あるいは合成樹脂製の把持材９を一体的に配設したものである。尚、ハンドル１の中央部Ａ３は、金属芯材８が露出していても、把持材９で覆われていても構わない。また、金属芯材８は連続した一体物であっても、複数の部材を溶接接合して一体化したもの、例えば先端部Ａ１側の部材と基端部Ａ２側の部材を中央部Ａ３の部材で溶接接合したものであっても構わない。そして、このようなハンドル１は、把持材９がゴム製の場合は加硫成形により、また合成樹脂製の場合はインサート成形により製造する。
【００１４】
そして、ハンドル１の先端部Ａ１側に対応する前記金属芯材８には、前記ドライバービット２の断面形状に応じて、該ドライバービット２を反転抜き差し可能且つ回転不能に装着し得る挿着孔部３を、先端に開放させて形成している。本実施形態では、前記ドライバービット２の断面形状を正六角形としたので、挿着孔部３も略正六角形の孔としている。
【００１５】
また、ハンドル１の先端部Ａ１と基端部Ａ２に対応する前記金属芯材８には、それぞれ前記第１ソケット部５と第２ソケット部６を形成している。この第１ソケット部５と第２ソケット部６は、正六角形のボルト頭部又はナットを嵌入し、それを回転できるような形状の凹部である。本実施形態では、第１ソケット部５と第２ソケット部６の凹部形状は、図３に示すように二つの正六角形を３０度だけ回転角度をずらせて重ねた図形の外形が作る形状、いわゆる「菊形」となしている。また、第１ソケット部５の大きさは１３サイズ、第２ソケット部６の大きさは１７サイズとしているが、異なる大きさであれば良く、更に大小の関係が逆であっても構わない。
【００１６】
また、ハンドル１の中央部Ａ３に対応する前記金属芯材８には、前記ドライバービット２を回転不能に抜き差し可能な貫通孔部７を、金属芯材８の軸方向と直交する方向に形成している。この貫通孔部７の形状は、前記挿着孔部３と同様に略正六角形の孔としている。
【００１７】
更に、前記ハンドル１の基端部Ａ２側の第２ソケット部６で、寸切りボルトに螺合したナットを回転する際に、ボルト軸部を逃がし得る退避孔部１０を、ハンドル１の基端部Ａ２に対応する前記金属芯材８に、該第２ソケット部６内から該ハンドル１の中央部Ａ３に連続して形成している。
【００１８】
更に本実施形態では、前記ドライバービット２をハンドル１の挿着孔部３と貫通孔部７に挿入して使用する際に、該ドライバービット２が簡単には移動あるいは抜けないようにするための機構を備えている。つまり、前記ドライバービット２の両端部寄りの外周に、それぞれ係合用凹部１１，１１を形成し、ドライバービット２を挿着孔部３又は貫通孔部７に挿入した場合に、前記係合用凹部１１に弾性係合可能な第１係合手段１２と第２係合手段１３を、前記挿着孔部３内と前記貫通孔部内に、それぞれ突出可能に設けている。
【００１９】
前記第１係合手段１２は、前記金属芯材８に挿着孔部３に貫通する孔１２Ａを形成し、該孔１２Ａ内に球体１２Ｂを内外移動可能且つ挿着孔部３内に貫通不能に設け、該球体１２Ｂの一部が挿着孔部３内に突出するように内方へ弾性付勢し、挿着孔部３内に突出した球体１２Ｂの一部が前記ドライバービット２の係合用凹部１１に係合するものである。つまり、本実施形態では、前記孔１２Ａの内端部は球体１２Ｂの直径より孔径を小さく設定するとともに、球体１２Ｂの弾性付勢手段として該孔１２Ａを形成した金属芯材８の肉厚より球体１２Ｂの直径を大きく設定し、常に球体１２Ｂの一部を金属芯材８より外側に突出させ、該突出部を弾性を有する前記把持材９で内方に付勢した構造としている。
【００２０】
一方、前記第２係合手段１３は、前記金属芯材８に退避孔部１０の底部から貫通孔部７に貫通する孔１３Ａを形成し、該孔１３Ａ内に球体１３Ｂを内外移動可能且つ貫通孔部７内に貫通不能に設け、該球体１３Ｂの一部が貫通孔部７内に突出するように内方へ弾性付勢し、貫通孔部７内に突出した球体１３Ｂの一部が前記ドライバービット２の係合用凹部１１に係合するものである。つまり、本実施形態では、前記孔１３Ａの内端部は球体１３Ｂの直径より孔径を小さく設定するとともに、球体１３Ｂの弾性付勢手段として退避孔部１０の底部に固定した閉塞部材１３Ｃと球体１３Ｂとの間に圧縮コイルばね１３Ｄを介在させた構造としている。尚、前記第１係合手段１２と第２係合手段１３は、本実施形態ではボールプランジャー構造としたが、板ばねのような弾性部材を用いて構成することも可能である。
【００２１】
このように構成したドライバーＡは、ドライバービット２をハンドル１の挿着孔部３に前述のように装着し、該ドライバービット２の両端部にそれぞれ形成したねじ係合部４，４で二種類のねじ、即ちプラスねじとマイナスねじを従来の固定式ドライバーと同様に回転させることが可能である。ここで、ドライバービット２に大きな回転トルクを付与したい場合には、図４に示すように、ドライバービット２を挿着孔部３から抜いて、貫通孔部７に前述のように装着し、ドライバービット２とハンドル１とで略Ｔ字形の回転工具を構成し、ハンドル１を持って回転させれば良いのである。また、この状態で、ドライバービット２を持って回転させれば、第１ソケット部５又は第２ソケット部６で大きさの異なるボルト又はナットを回転させることが可能である。この場合も、ハンドル１の回転軸心からドライバービット２が大きく突出するので、大きな回転トルクを付与するこたが可能である。
【００２２】
次に、本発明の手動回転工具は前記ドライバーＡと以下に示すソケット本体Ｂとを組み合わせれば、更に用途が拡大する。このソケット本体Ｂは、図５〜図７に示してあり、ドライバーＡと組み合わせて使用する例は、図８及び図９に示している。つまり、ソケット本体Ｂは、前記ドライバービット２の外周に沿って軸方向に移動可能且つドライバービット２から抜き出し可能であるが回転不能なものであり、両端部には内寸の互いに異なった第３ソケット部１４と第４ソケット部１５を形成するとともに、該第３ソケット部１４と第４ソケット部１５の外形を前記第１ソケット部５と第２ソケット部６の何れか一方に回転不能に内嵌し得る形状となしたものである。
【００２３】
更に詳しくは、前記ソケット本体Ｂは、軸方向に貫通した筒状のものであり、中央部に前記ドライバービット２を回転不能に嵌挿し得る係合孔部１６を形成するとともに、両端部に前記第３ソケット部１４と第４ソケット部１５とをそれぞれ形成したものである。ここで、第３ソケット部１４と第４ソケット部１５は、内部が、正六角形のボルト頭部又はナットを嵌入し、それを回転できるような形状の凹部１４Ａ、１５Ａであり、外部が、第１ソケット部５と第２ソケット部６の凹部形状に合わせ、図６に示すように二つの正六角形を３０度だけ回転角度をずらせて重ねた図形の外形が作る形状、いわゆる「菊形」となした係合部１４Ｂ、１５Ｂである。例えば、第３ソケット部１４の凹部１４Ａの大きさは８サイズ、第４ソケット部１５の凹部１５Ａの大きさは１２サイズとし、第３ソケット部１４の係合部１４Ｂの大きさは１３サイズ、第４ソケット部１５の係合部１５Ｂの大きさは１７サイズとしている。そして、中央部の係合孔部１６と、各第３ソケット部１４の凹部１４Ａと第４ソケット部１５の凹部１５Ａとは、連通孔部１７，１８で連続している。
【００２４】
また、前記ソケット本体Ｂには、前記ドライバービット２の外周に形成した係合用凹部１１に係脱可能な第３係合手段１９を設けて、各第３ソケット部１４と第４ソケット部１５が使用可能な位置でソケット本体Ｂをドライバービット２に保持するようにしている。
【００２５】
この第３係合手段１９は、ソケット本体Ｂの中央部であって前記係合孔部１６に貫通して設けた前記同様な孔２０に、該孔２０の深さよりも直径が大きい球体２１を嵌合し、その外周にスリーブ２２を軸方向にスライド移動可能に設けるとともに、該スリーブ２２には球体２１の外側に当接して球体２１の一部を係合孔部１６内に突出した状態に維持する環状凸部２２Ａと、球体２１が係合孔部１６内に没入する状態を許容する環状凹溝２２Ｂとを軸方向に連続して形成してあり、当該ソケット本体Ｂとスリーブ２２の間に介在させた圧縮コイルばね２３により常時環状凸部２２Ａが球体２１の外側に当接するように、該スリーブ２２を一方向に弾性付勢し且つソケット本体Ｂに外嵌したストップリング２４でスリーブ２２を当止したものである。更に詳しくは、前記圧縮コイルばね２３は、孔２０よりも第４ソケット部１５側に配設し、一端をソケット本体Ｂの拡径部２５に当止するとともに、他端をスリーブ２２の環状凸部２２Ａの端面に当止し、環状凹溝２２Ｂより第３ソケット部１４側に設けた段部２６を前記ストップリング２４に当止するようにしている。勿論、環状凹溝２２Ｂは環状凸部２２Ａより第３ソケット部１４側に設けてあり、圧縮コイルばね２３の弾性力に抗してスリーブ２２を移動させて環状凹溝２２Ｂを球体２１の外側に位置させるのである。
【００２６】
そして、図８に示すように、ソケット本体Ｂは、ドライバービット２をハンドル１の挿着孔部３に装着した状態で、該ドライバービット２の先端部に外挿して使用する。ここで、ドライバービット２の先端部にソケット本体Ｂを外挿する場合には、スリーブ２２を移動させて環状凹溝２２Ｂを球体２１の外側に位置させ、その状態でドライバービット２をソケット本体Ｂの係合孔部１６に挿入した後、スリーブ２２を自由にしてソケット本体Ｂをドライバービット２に沿って移動させると、球体２１が係合用凹部１１の位置に来ると圧縮コイルばね２３の弾性力でスリーブ２２が移動し、環状凸部２２Ａが球体２１を係合孔部１６内に押し出し、球体２１の一部が係合用凹部１１に係合するのである。
【００２７】
この状態で、第３ソケット部１４の凹部１４Ａ又は第４ソケット部１５の凹部１５Ａに、ボルトやナットを嵌合して回転させるのである。第３ソケット部１４又は第４ソケット部１５の選択は、ドライバービット２に挿入するソケット本体Ｂの向きで決定する。尚、ソケット本体Ｂを使用しない時には、図８の状態から、圧縮コイルばね２３の弾性力に抗してスリーブ２２を移動させて環状凹溝２２Ｂを球体２１の外側に位置させながら、ソケット本体Ｂをドライバービット２の根元部まで移動させ、第３ソケット部１４の係合部１４Ｂを第１ソケット部５の凹部内に嵌合しておくのである。
【００２８】
また、ソケット本体Ｂの第３ソケット部１４又は第４ソケット部１５を利用して更に大きな回転トルクでボルトやナットを回転させるには、図９に示すように、先ずドライバービット２をハンドル１の挿着孔部３から抜いて、貫通孔部７に前述のように装着した後、図中に実線で示す如く第３ソケット部１４の係合部１４Ｂを第１ソケット部５の凹部内に嵌合するか、又は図中に想像線で示す如く第４ソケット部１５の係合部１５Ｂを第２ソケット部６の凹部内に嵌合し、ドライバービット２を持ってハンドル１を回転させるのである。あるいは、ドライバービット２の先端部にソケット本体Ｂを装着したまま、ドライバービット２をハンドル１の挿着孔部３から抜いて貫通孔部７に装着し、ハンドル１を持ってドライバービット２を回転させるのである。
【００２９】
また、ハンドル１の第１ソケット部５又は第２ソケット部６でボルトやナットを回転させる場合で、貫通孔部７にドライバービット２を装着して、ドライバービット２を持って回転させる際に、ドライバービット２の先端のねじ係合部４が手のひらに直接当たって痛い場合には、該ドライバービット２の先端部に前記ソケット本体Ｂを装着してねじ係合部４が隠れた状態にすることも好ましいのである。
【００３０】
以上説明した本実施形態は、本発明を実施する上で最も好ましいものであるが、本発明の主旨を変更しない限り種々の変更を加えることが可能である。例えば、各部の嵌合形状は正六角形に限らず、正四角形や正八角形等の正多角形でも良く、また各ソケット部は対象とするボルトやナットの形状に応じて変更可能である。
【００３１】
【発明の効果】
以上にしてなる請求項１に係る発明の手動回転工具は、ドライバービットの両端部にそれぞれ形成したねじ係合部で二種類のねじを回転させることができることは勿論、ハンドルの先端部と基端部にそれぞれ設けた第１ソケット部と第２ソケット部で大きさの異なるボルト又はナットを回転させることができ、更にボルト又はナットを回転させる際に、ドライバービットをハンドルの挿着孔部から抜き去って、それをハンドルの貫通孔部に挿入し、ハンドルの回転軸方向と直交する方向に突出したドライバービットを持って回転させれば大きな回転トルクが得られるのである。更に、前述のハンドルとドライバービットとからなるドライバーと、ソケット本体とを組み合わせて用いることにより、ソケット本体の第３ソケット部と第４ソケット部を使用して更に大きさの異なるボルト又はナットを回転させることができ、またソケット本体をドライバービットから抜いて、第３ソケット部又は第４ソケット部の一方をハンドルの第１ソケット部又は第２ソケット部に内嵌し、他方を用いてボルト又はナットを回転させることもでき、更にドライバービットをハンドルの貫通孔部７に装着して、ドライバービットを持ってハンドルを回転させれば、ソケット本体の第３ソケット部又は第４ソケット部を利用して更に大きな回転トルクでボルトやナットを回転させることができる。
【００３２】
請求項２に係る発明の手動回転工具は、ドライバービットをハンドルの挿着孔部又は貫通孔部に簡単に抜けることなく保持することができ、使用中に不意にドライバービットが移動したり、抜けたりすることがないのである。
【００３３】
請求項３に係る発明の手動回転工具は、ナットからボルト軸部が大きく突出した状態でも、また寸切りボルトの中間部にナットが螺合した場合でも、退避孔部内にボルト軸部あるいは寸切りボルトを受け入れて該ナットを回転させることができ、照明器具などの取付作業に便利である。
【００３４】
請求項４に係る発明の手動回転工具は、ハンドルの挿着孔部に装着したドライバービットの先端部に、ソケット本体を装着して各第３ソケット部又は第４ソケット部でボルト又はナットを回転させる際に、ドライバービットの外周に形成した係合用凹部に第３係合手段が係合するので、該ソケット本体がドライバービットに沿って不意に移動することがなく、更にソケット本体を使用しない場合には、第３係合手段による係合を解除してソケット本体をドライバービットに根元部まで移動させれば、ドライバービット先端部のねじ係合部を使用することができる。
【図面の簡単な説明】
【図１】  本発明の手動回転工具を構成するドライバーの断面図である。
【図２】  同じくハンドルの正面図である。
【図３】  （ａ）は図２のハンドルの平面図、（ｂ）は図２のハンドルの底面図である。
【図４】  ドライバービットをハンドルの貫通孔部に装着した状態の断面図である。
【図５】  本発明の手動回転工具を構成するソケット本体の断面図である。
【図６】  （ａ）は図５のソケット本体の左側面図、（ｂ）は図５のソケット本体の右側面図である。
【図７】  ソケット本体の正面図である。
【図８】  ドライバーとソケット本体とを組み合わせて使用する代表例を示した断面図である。
【図９】  同じく他の使用例を示した断面図である。
【符号の説明】
Ａ  ドライバー            Ｂ  ソケット本体
１  ハンドル              ２  ドライバービット
３  挿着孔部              ４  ねじ係合部
５  第１ソケット部        ６  第２ソケット部
７  貫通孔部              ８  金属芯材
９  前記把持材            １０  退避孔部
１１  係合用凹部          １２  第１係合手段
１２Ａ  孔                １２Ｂ  球体
１３  第２係合手段        １３Ａ  孔
１３Ｂ  球体              １４  第３ソケット部
１５  第４ソケット部      １４Ａ，１５Ａ  凹部
１４Ｂ，１５Ｂ  係合部    １６  係合孔部
１７，１８  連通孔部      １９  第３係合手段
２０  孔                  ２１  球体
２２  スリーブ            ２２  スリーブ
２２Ａ  環状凸部          ２２Ｂ  環状凹溝
２３  圧縮コイルばね      ２４  ストップリング
２５  拡径部              ２６  段部
【図１】
0004451941.tif 000002
【図２】
0004451941.tif 000003
【図３】
0004451941.tif 000004
【図４】
0004451941.tif 000005
【図５】
0004451941.tif 000006
【図６】
0004451941.tif 000007
【図７】
0004451941.tif 000008
【図８】
0004451941.tif 000009
【図９】
0004451941.tif 000010